(57)【要約】【課題】卓球の練習時に、卓球台の後方に飛散したボールを立ったままの状態で回収を容易に行うことが出来る卓球ボール回収具を提供すること。【解決手段】卓球ボール５を収納することのできる筒部２とボール回収部３を有し、回収用開口部３ａの外周縁３ｂには市販の輪ゴム４を係止可能な複数対の溝３ｃを形成し、前記開口部３ａの中央を縦断させて前記輪ゴム４を張り渡したことを特徴とする卓球ボール回収具であって、前記ボール回収部３は前記筒部２に着脱可能な筒部３ｅを有している。【選択図】図１
0003156657.tif 000002
【実用新案登録請求の範囲】
【請求項１】
卓球ボール５を収納することのできる筒部２とボール回収部３を有し、前記ボール回収部３の一方側には筒部３ｅが設けられ、他方側には外周縁３ｂを有し外方に向かってラッパ状に広がる筒部３ｆを有するボールの回収用開口部３ａが設けられており、前記筒部３ｆの外周縁３ｂには複数対の溝３ｃが形成され、前記回収用開口部３ａにはその中央を縦断させて輪ゴム４を張り渡したことを特徴とする卓球ボール回収具。
【請求項２】
卓球ボール５を収納することのできる筒部２とボール回収部３とは、着脱可能な構成となっていることを特徴とする請求項１記載の卓球ボール回収具。
【考案の詳細な説明】
【技術分野】
【０００１】  この考案は、卓球競技や練習中に床面に散乱する卓球ボールを立ったままの状態で容易に回収するための回収具に関するものである。
【背景技術】
【０００２】  通常は、卓球の練習時に卓球台の後方に飛散したボールを短時間に何度も腰をかがめて拾いに行かねばならず、床に散乱した卓球ボールを中腰で一つずつ拾い集めることは非常に苦痛であり、腰を痛めて練習自体が苦痛に思えることが多いのは当事者の多くが経験するところである。
そのため、従来より、卓球ボール等の回収具に関しては各種の発明や考案が提案されている。例えば、筒状体の一方の開口部にゴムを格子状に張り渡したもの（特許文献１参照）や、筒状体の開口部に弾性紐を縦断させ、立ったままで、ボールを筒内に回収するもの（特許文献２参照）、弾性体で構成した網状の筒を転がしながらボールを回収するもの（特許文献３参照）、円筒先端部内面に玉止めブラシと可動筒の先端に設けた複数のガイド脚を設けて筒の上端部からボールを網袋に回収するもの（特許文献４参照）等が知られている。【０００３】
【先行技術文献】
【特許文献】
【０００４】
【特許文献１】実用新案登録第３００１２７７号公報
【特許文献２】実開平５−５１５９号公報
【特許文献３】特開２００５−１５２５６８号公報
【特許文献４】特開２００６−１７５１８７号公報
【考案の概要】
【考案が解決しようとする課題】
【０００５】  前述した従来例では構造が複雑で高価であり、携帯が困難な上にボールの回収口に張り渡したゴム紐を含む弾性体が損傷しやすく交換が困難である等で、実用性に乏しいために一般的な普及が行われ難いと思われる。
したがって、この考案は前記従来の卓球ボール回収具を更に改良し、立ったままでのボールの回収が容易で構成や取扱が簡単で携帯に便利な卓球ボール回収具の提供を目的とするものである。
【課題を解決するための手段】
【０００６】  この考案は、卓球用ボール５を収納することのできる筒部２と前記ボール回収部３を有し、回収用開口部３ａの外周縁３ｂには市販の輪ゴム４を係止可能な複数対の溝３ｃを形成し、回収用開口部３ａの中央を縦断させて前記輪ゴム４を張り渡したことを特徴とする卓球用ボール回収具であって、前記ボール回収部３は筒部３ｅによって前記筒部２に着脱可能となっており、ボール回収部３の先端部には外周縁３ｂを有し、外方に向かってラッパ状に広がる筒部３ｆが設けられている。
卓球の練習に出かけるときは、ボール回収部３を筒部２から外して鞄などに入れて簡単に携行することができる。
【考案の効果】
【０００７】  この考案によれば、卓球の練習時に、卓球台の後方に飛散したボールを立ったままの状態でボールの回収を容易に行うことが出来るのに加え、卓球の練習にも球拾いに草臥れて練習がおろそかになることを防止できると共に、使用するゴム紐も市販されている家庭用の輪ゴムをそのまま使用すればよいので、携帯に便利で構成や取扱が簡単で安価な卓球ボール回収用具を得ることができる。
【図面の簡単な説明】
【０００８】
【図１】この考案の説明用斜視図である。
【図２】この考案の分解図である。
【図３】この考案の使用説明図である。
【図４】この考案の使用説明用ボール回収用開口部の断面図である。
【考案を実施するための形態】
【０００９】  以下、この考案の実施例に基づき説明するが、以下の説明において同一の機能を有する部材や部位、構成については、同一の符号を付けて説明を省略する場合がある。
図１、図２はこの考案の卓球ボール回収用具の実施例で、１はこの考案の全体図を示す説明用斜視図で、図２はその分解図である。２は筒部で、卓球ボールが容易に通過するに足りる内径を有する合成樹脂製の筒であるが、この筒は特に合成樹脂に限定する必要はなく、紙筒でも金属その他で適宜好みの材料によって構成すればよい。筒２の長さも使用者の背丈や携帯用の便宜を考慮して定められる設計事項である。
【００１０】  ３は競技場の床面に散乱している卓球ボール５を回収するためのボール回収部で、円筒部２側には接続用の筒部３ｅが、他方側には外周縁３ｂを有して外方に向かってラッパ状に広がる筒部３ｆを有するボールの回収用開口部３ａが設けられており、筒部３ｅは筒部２に着脱可能に取り付けられている。この実施例においては、ボール回収部３の筒部３ｅと円筒部２とは弾性的な摩擦係合による着脱機構が採用されている（図２参照）が、ネジ込み式やバヨネットなどの周知の着脱手段で接続することができる。
【００１１】  ボール回収部３の外周縁３ｂには筒部３ｅの中心に対して複数の係止溝３ｃ、３ｃが対称的に設けられている。この実施例では１対の係止溝が示されているが、必要に応じて複数対の係止溝を設けても良い。
【００１２】  ４は市販されている周知の家庭用輪ゴムであって、図２に見られるように複数本の輪ゴムを使用して筒部３ｅの外側を挟んでボール回収部３の外周縁３ｂに設けられた係止溝３ｃで合体して通し、回収用開口部３ａの中央を縦断させて前記輪ゴム４を張り渡したものである。
なお、輪ゴムの数は強度さえ十分であれば１本でもこの考案の作用効果に影響はないが、出来れば２本以上の輪ゴムを使用するのが好ましい。
【００１３】  以下、図３、図４によってこの考案の使用方法を説明する。
図３において、（ａ）〜（ｃ）は、この考案の卓球ボール回収用具の使用順序を説明する図面である。ボール回収者は、この筒２を手で掴んで（ａ）、（ｂ）、（ｃ）の順に操作するのであるが操作者の表示は省略してある。
【００１４】  先ず、床の上に散乱している卓球ボール５の上からこの考案の卓球ボール回収用具１（以下単に「用具」と言う）を矢印（ａ）で示すように下方向へ下げて行き、更に卓球ボール（以下単に「ボール」と言う）に押しつけてボール回収部３の先端部が床面に接するまで押し込む（ｂ）。すると、ボール５は回収用開口部３ａの中央を縦断して張り渡された輪ゴム４を押し伸ばしながら筒の中に押し込まれ、輪ゴム４はボール５の上側表面に沿って横滑りしながら伸びてゆくことになる。そして途中でボールの最大直径の部分を通過すると急にボールの下側表面を横滑りして収縮するためにボール５を筒の中に自動的に押し込むことになる。このようにして順次（ａ）〜（ｃ）の操作を繰り返すことにより、散乱したボールは、次々と筒部２の中に積み上げられて行き、上部の開口から取り出すことができる。
【００１５】  したがって、手順（ｃ）のように筒部２を矢印のように上に引き上げてもボール５は回収用開口部３ａの中央を縦断して張り渡された輪ゴム４によって底面を支えられることになるので落下することはない（図４も合わせて参照されたい）。
【００１６】  なお、回収用開口部３ａの深さや大きさは、使用するボールの大きさによって自動的に決まる設計事項であるが、テニスボールやゴルフボールの回収具としても筒の大きさや輪ゴムの太さや種類を変えることにより適用できることは明らかである。
【符号の説明】
【００１７】１・・・卓球ボール回収具
２・・・筒部
３・・・ボール回収部
３ａ・・回収用開口部
３ｂ・・外周縁
３ｃ・・係止溝
３ｅ・・筒部
３ｆ・・筒部
４・・・輪ゴム
【図１】
0003156657.tif 000003
【図２】
0003156657.tif 000004
【図３】
0003156657.tif 000005
【図４】
0003156657.tif 000006